(57)【要約】      （修正有）【課題】折り畳み式フラットモップ用スピン洗浄バケツを提供する。【解決手段】底部１１を備えるバケツ本体１と、前記バケツ本体の前記底部に装着されるスピン装置２とを含む折り畳み式フラットモップ用スピン洗浄バケツ１００であって、前記スピン装置がスピン部材２１及び一対の担持凹部２２ａ、２２ｂを含み、前記スピン部材が軸を中心に前記底部で旋回するものであり、折曲状態の折り畳み式フラットモップが一対の前記担持凹部に担持され、前記折り畳み式フラットモップが旋回する場合、前記折り畳み式フラットモップの旋回力に連動されることよって前記スピン装置が前記バケツ本体の中で旋回することができる構成とした。【選択図】図１
2020006170.tif 000002
【特許請求の範囲】
【請求項１】
底部を備えるバケツ本体と、
前記バケツ本体の前記底部に装着されるスピン装置と
を含む折り畳み式フラットモップ用スピン洗浄バケツであって、
前記スピン装置がスピン部材及び一対の担持凹部を含み、前記スピン部材が軸を中心に前記底部で旋回するものであり、折曲状態の前記折り畳み式フラットモップが一対の前記担持凹部に担持され、前記折り畳み式フラットモップが旋回する場合、前記折り畳み式フラットモップの旋回力に連動されることよって前記スピン装置が前記バケツ本体の中で旋回することを特徴とする折り畳み式フラットモップ用スピン洗浄バケツ。
【請求項２】
前記スピン装置が一対の隔壁部材を有し、各々の前記隔壁部材が一対の前記担持凹部の間に設置され、各々の前記隔壁部材が互いに離間されるように前記スピン装置の上表面に周設されることを特徴とする請求項１に記載の折り畳み式フラットモップ用スピン洗浄バケツ。
【請求項３】
前記バケツ本体がリングフレーム部材を有し、前記リングフレーム部材が前記バケツ本体の上周縁に設置されるものであり、前記リングフレーム部材が通し穴を有し、前記折り畳み式フラットモップが前記バケツ本体の外から、前記通し穴を通過して前記バケツ本体に押し込まれる場合、前記折り畳み式フラットモップが前記リングフレーム部材に当接されることによって折曲されることを特徴とする請求項１に記載の折り畳み式フラットモップ用スピン洗浄バケツ。
【請求項４】
前記スピン装置が折曲された前記折り畳み式フラットモップを納置する納置座を有し、前記納置座が一対の挿設部を有し、一対の前記挿設部が一対の前記隔壁部材に挿設されることで、前記納置座が一対の前記隔壁部材に対して多数の停止位置の間にシフトされることを特徴とする請求項２に記載の折り畳み式フラットモップ用スピン洗浄バケツ。
【請求項５】
前記納置座の各側面にシフト凹部を有し、一対の前記隔壁部材の各内周面に定位凹部を有し、ローラーが前記シフト凹部と前記定位凹部の中に設置されることで、前記納置座が前記隔壁部材に対して縦方向に移動されるものであり、前記定位凹部が連続的に延ばされた複数の凹部からなり、順次に縦方向凹部、ガイド凹部、停留凹部及び復帰ガイド凹部を含み、前記復帰ガイド凹部が前記ローラーを前記ガイド凹部から前記縦方向凹部へ復帰させるために延ばされたものであり、前記ローラーが前記シフト凹部と前記定位凹部の中にシフトされることによって、前記納置座を第一停止位置及び第二停止位置に止めさせるものであって、
（1）前記第一停止位置：前記折り畳み式フラットモップが前記納置座を下に押さえる時、前記納置座の降下によって、前記ローラーが前記縦方向凹部を通して前記縦方向凹部の底側へ降りながら前記納置座が前記バケツ本体の前記底部まで至ることで、前記納置座を前記第一停止位置で停止させ、
（2）前記第二停止位置：前記折り畳み式フラットモップが前記納置座を上に持ち上げる時、前記納置座の上昇によって、前記ローラーが前記縦方向凹部の前記底側から上に昇り、前記ガイド凹部を経由しながら前記停留凹部まで至ることで、前記納置座を前記第二停止位置で停止させ、
（3）前記第二停止位置から前記第一停止位置へ帰還：前記納置座が前記第二停止位置で停止する間、前記折り畳み式フラットモップと前記納置座を上に持ち上げることにつれて、前記ローラーが持ち上げられるが、前記ローラーが前記復帰ガイド凹部を通ると下向きに変え、前記縦方向凹部を通過し、前記縦方向凹部の底側へ向かって降り、前記納置座を前記バケツ本体の前記底部まで移動させることで、前記納置座を前記第一停止位置へ戻すことを特徴とする請求項３に記載の折り畳み式フラットモップ用スピン洗浄バケツ。
【請求項６】
前記スピン装置が複数のものであり、前記バケツ本体の前記底部に装着され、少なくとも二つの前記スピン装置が異なる高さを有することを特徴とする請求項１に記載の折り畳み式フラットモップ用スピン洗浄バケツ。
【請求項７】
複数の前記スピン装置の間が仕切部材によって相互に分離されることを特徴とする請求項６に記載の折り畳み式フラットモップ用スピン洗浄バケツ。
【請求項８】
前記折り畳み式フラットモップが同期折り畳みフラットモップであり、前記同期折り畳みフラットモップの二つの翼板が同期折曲可能なものであり、前記バケツ本体を離脱する場合、前記折り畳み式フラットモップが自らの旋回の遠心力によって折曲状態から展開状態になることを特徴とする請求項１に記載の折り畳み式フラットモップ用スピン洗浄バケツ。
【発明の詳細な説明】
【技術分野】
【０００１】
本発明は、スピン洗浄バケツに関し、特に折り畳み式フラットモップ用スピン洗浄バケツに関する。
【背景技術】
【０００２】
図８に示すように、折り畳み式フラットモップＴは、従来の円形モップと比較すれば新型のモップである。折り畳み式フラットモップＴは、二つの翼板を有し、この二つの翼板が互いに折り曲げ且つ展開することができる。各翼板の下底面には布などの清掃条が付けられる清掃部材Ｍが設置されている。この清掃部材Ｍは、交換可能なのでモップの使用寿命が延ばされる。折り曲げられない円盤式モップ、即ち円形モップ（図１０に示す）に対して、折り畳み式フラットモップＴは、翼板展開時の清掃部材が従来の円形モップより広いメリットがあって、翼板折り曲げ時の収容便利のメリットもある。それに、折り畳み式フラットモップＴは、違う寸法の清掃部材を交換することができる。例えば、横に長い清掃部材は、広い範囲の掃除に効率がよく、横に短い清掃部材は、力が省けるというようにそれぞれのニーズによって様々な清掃部材が選べる。しかし、折り畳み式フラットモップＴは、上述のような使い易さと省スペース性をもたらしているが、従来の技術では、折り畳み式フラットモップＴを好適に使える洗浄バケツはなく、特に、折り畳み式フラットモップＴの洗浄効果及び便利性を強化するための洗浄バケツはなかった。
【発明の概要】
【発明が解決しようとする課題】
【０００３】
本発明は、上記問題点に鑑みてなされたものであって、折り畳み式フラットモップの翼板の折り曲げと展開という特色を複雑に応用することで、折り畳み式フラットモップの洗浄効果及び便利性を強化する折り畳み式フラットモップ用スピン洗浄バケツを提供することを目的とする。詳しく述べると、本発明の折り畳み式フラットモップ用スピン洗浄バケツは、折り畳み式フラットモップが複数の異なる位置の間にシフトすることが許され、折り畳み式フラットモップが接合位置、洗浄位置、脱水位置及び分離位置に置かれることで、接合、洗浄、脱水及び分離という操作が行われる。
【課題を解決するための手段】
【０００４】
上記の目的を達成するために、本発明は、底部を備えるバケツ本体と、前記バケツ本体の前記底部に装着されるスピン装置とを含む折り畳み式フラットモップ用スピン洗浄バケツであって、前記スピン装置がスピン部材及び一対の担持凹部を含み、前記スピン部材が軸を中心に前記底部で旋回するものであり、折曲状態の前記折り畳み式フラットモップが一対の前記担持凹部に担持され、前記折り畳み式フラットモップが旋回する場合、前記折り畳み式フラットモップの旋回力に連動されることによって前記スピン装置が前記バケツ本体の中で旋回することを特徴とする折り畳み式フラットモップ用スピン洗浄バケツを提供する。
【０００５】
本発明の折り畳み式フラットモップ用スピン洗浄バケツの実施例の一つとして、前記スピン装置が一対の隔壁部材を有し、各々の前記隔壁部材が一対の前記担持凹部の間に設置され、各々の前記隔壁部材が互いに離間されるように前記スピン装置の上表面に周設される。
【０００６】
本発明の折り畳み式フラットモップ用スピン洗浄バケツの実施例の一つとして、前記バケツ本体がリングフレーム部材を有し、前記リングフレーム部材が前記バケツ本体の上周縁に設置されるものであり、前記リングフレーム部材が通し穴を有し、前記折り畳み式フラットモップが前記バケツ本体の外から、前記通し穴を通過して前記バケツ本体に押し込まれる場合、前記折り畳み式フラットモップが前記リングフレーム部材に当接されることによって折曲される。
【０００７】
本発明の折り畳み式フラットモップ用スピン洗浄バケツの実施例の一つとして、前記スピン装置が折曲された前記折り畳み式フラットモップを納置する納置座を有し、前記納置座が一対の挿設部を有し、一対の前記挿設部が一対の前記隔壁部材に挿設されることで、前記納置座が一対の前記隔壁部材に対して多数の停止位置の間にシフトされる。
【０００８】
本発明の折り畳み式フラットモップ用スピン洗浄バケツの実施例の一つとして、前記納置座の各側面にシフト凹部を有し、一対の前記隔壁部材の各内周面に定位凹部を有し、ローラーが前記シフト凹部と前記定位凹部の中に設置されることで、前記納置座が前記隔壁部材に対して縦方向に移動されるものであり、前記定位凹部が連続的に延ばされた複数の凹部からなり、順次に縦方向凹部、ガイド凹部、停留凹部及び復帰ガイド凹部を含み、前記復帰ガイド凹部が前記ローラーを前記ガイド凹部から前記縦方向凹部へ復帰させるために延ばされたものであり、前記ローラーが前記シフト凹部と前記定位凹部の中にシフトされることによって、前記納置座を第一停止位置及び第二停止位置に止めさせるものであって、（1）前記第一停止位置：前記折り畳み式フラットモップが前記納置座を下に押さえる時、前記納置座の降下によって、前記ローラーが前記縦方向凹部を通して前記縦方向凹部の底側へ降りながら前記納置座が前記バケツ本体の前記底部まで至ることで、前記納置座を前記第一停止位置で停止させ、（2）前記第二停止位置：前記折り畳み式フラットモップが前記納置座を上に持ち上げる時、前記納置座の上昇によって、前記ローラーが前記縦方向凹部の前記底側から上に昇り、前記ガイド凹部を経由しながら前記停留凹部まで至ることで、前記納置座を前記第二停止位置で停止させ、（3）前記第二停止位置から前記第一停止位置へ帰還：前記納置座が前記第二停止位置で停止する間、前記折り畳み式フラットモップが前記納置座を下に押さえると、前記納置座の降下によって、前記ローラーが前記復帰ガイド凹部を通して前記縦方向凹部を通過し、前記縦方向凹部の底側へ向かって降り、前記納置座を前記バケツ本体の前記底部まで移動させることで、前記納置座を前記第一停止位置へ戻させる。
【０００９】
本発明の折り畳み式フラットモップ用スピン洗浄バケツの実施例の一つとして、前記スピン装置が複数のものであり、前記バケツ本体の前記底部に装着され、少なくとも二つの前記スピン装置が異なる高さを有する。
【００１０】
本発明の折り畳み式フラットモップ用スピン洗浄バケツの実施例の一つとして、複数の前記スピン装置の間が仕切部材によって相互に分離される。
【００１１】
本発明の折り畳み式フラットモップ用スピン洗浄バケツの実施例の一つとして、前記折り畳み式フラットモップが同期折り畳みフラットモップであり、前記同期折り畳みフラットモップの二つの翼板が同期折曲可能なものであり、前記バケツ本体を離脱する場合、前記折り畳み式フラットモップが自らの旋回の遠心力によって折曲状態から展開状態になる。
【発明の効果】
【００１２】
本発明の技術手段によれば、折り畳み式フラットモップ用スピン洗浄バケツは、折り畳み式フラットモップを異なる位置の間に順次にシフトさせ、洗浄位置及び脱水位置を含む洗浄及び脱水の操作を実現できるため、清掃部材の下にある布が便利に効率よく洗浄される。また、折り畳み式フラットモップ用スピン洗浄バケツは、上に折り曲げる折り畳み式フラットモップ用に設計されるため、バケツの幅と長さとも確実に削減される。これによって、スピン洗浄バケツは、例えば、運搬コストの低減及び省スペースなどのメリットを果たしている。
【図面の簡単な説明】
【００１３】
【図１】本発明の実施例による折り畳み式フラットモップ用スピン洗浄バケツを示す概略図である。
【図２】本発明のもう一つ実施例による折り畳み式フラットモップ用スピン洗浄バケツを示す概略図である。
【図３ａ】本発明の実施例による折り畳み式フラットモップ用スピン洗浄バケツにおいて折り畳み式フラットモップを納置しようとされる場合示す概略図である。
【図３ｂ】本発明の実施例による折り畳み式フラットモップ用スピン洗浄バケツにおいて折り畳み式フラットモップが水中で洗浄される場合を示す概略図である。
【図３ｃ】本発明の実施例による折り畳み式フラットモップ用スピン洗浄バケツにおいて折り畳み式フラットモップが水中を離れ脱水される場合を示す概略図である。
【図４】本発明のもう一つの実施例による折り畳み式フラットモップ用スピン洗浄バケツを示す概略図である。
【図５】本発明のもう一つの実施例による折り畳み式フラットモップ用スピン洗浄バケツのスピン装置を示す概略図である。
【図６ａ】本発明の実施例による折り畳み式フラットモップ用スピン洗浄バケツの納置座が第一停止位置に定位される場合を示す概略図である。
【図６ｂ】本発明の実施例による折り畳み式フラットモップ用スピン洗浄バケツの納置座が第二停止位置に定位される場合を示す概略図である。
【図６ｃ】本発明の実施例による折り畳み式フラットモップ用スピン洗浄バケツの納置座が第一停止位置に帰還される場合を示す概略図である。
【図７】本発明のもう一つの実施例による折り畳み式フラットモップ用スピン洗浄バケツを示す概略図である。
【図８】折り畳み式フラットモップを示す概略図である。
【図９】折り畳み式フラットモップが折り曲げながら旋回される場合を示す概略図である。
【図１０】円盤式モップを示す概略図である。
【発明を実施するための形態】
【００１４】
以下は図１〜図９に基づいて、本発明の実施形態を説明する。なお、以下に説明する実施形態は、本発明を限定するものではなく、本発明の実施形態の一つである。
【００１５】
本発明における折り畳み式フラットモップＴは、同期に折り曲げ及び展開可能の同期折り畳み式フラットモップであることが好ましい。図９に示すように、折り畳み式フラットモップは次の通り旋回することができる。折り畳み式フラットモップＴのモップスティックＴ１は、上方位置にある第一モップスティック部材Ｔ１１及び下方位置にある第二モップスティック部材Ｔ１２を含む。回動部材Ｔ２は、第一モップスティック部材Ｔ１１と第二モップスティック部材Ｔ１２の間にある接続部に設置されるものであり、第一モップスティック部材Ｔ１１を下に押すと、回動部材Ｔ２がその押力を受けて捻られることで、第二モップスティック部材Ｔ１２を動かして回転させる。モップヘッドＴ３は第二モップスティック部材Ｔ１２に接続されるため、モップヘッドＴ３は第一モップスティック部材Ｔ１１に対して回ることとなる。
【００１６】
図１に示すように、本発明の一つの実施例によれば、折り畳み式フラットモップ用スピン洗浄バケツ１００は、バケツ本体１とスピン装置２を含む。バケツ本体１は底部１１を有する。スピン装置２は軸受（非表示）を通してバケツ本体１の底部１１に接続される。この軸受は、スピン装置２の軸と接続するようにバケツ本体１の中に設置されてもいいが、本発明はこれに限定されるものではなく、この軸受は、バケツ本体１の軸と接続するようにスピン装置２の底面に設置されてもいい。また、図２に示すように、もう一つの実施例の折り畳み式フラットモップ用スピン洗浄バケツ１００ａは、更にリングフレーム部材４を有する。リングフレーム部材４は、バケツ本体１からの水散らし、特に折り畳み式フラットモップＴがバケツ本体の出入り時の水散らしを防ぐため、バケツ本体１の上周縁に設置されるものである。それに、リングフレーム部材４は、通し穴４１を有し、折り畳み式フラットモップＴがバケツ本体１の外から、通し穴４１を通過してバケツ本体１に押し込まれる場合、折り畳み式フラットモップＴがリングフレーム部材４に当接されることによって折曲される。
【００１７】
スピン装置２は、スピン部材２１及び一対の担持凹部２２ａ、２２ｂを有する。スピン部材２１は、バケツ本体１に対して、軸を中心に旋回するものである。一対の担持凹部２２ａ、２２ｂは上に折り曲げた折り畳み式フラットモップＴを担持するものである。折り畳み式フラットモップＴが旋回する場合、スピン装置２のスピン部材２１が、折り畳み式フラットモップＴの旋回力に連動されることで、スピン装置２がバケツ本体１の中で旋回する。また、折り畳み式フラットモップＴが一対の担持凹部２２ａ、２２ｂから離脱された場合、折り畳み式フラットモップＴが、自らの旋回の遠心力によって折曲状態から展開状態になる。
【００１８】
本発明の折り畳み式フラットモップ用スピン洗浄バケツ１００ａは、折り畳み式フラットモップＴに関する水中の洗浄（図３ｂに示す）、水面上脱水（図３ｃに示す）及び離脱操作を行うように、折り畳み式フラットモップＴ（図３ａに示す）を納置する。
【００１９】
上述の動作は、単独のスピン装置（図１、図２、図３ａ、図３ｂ及び図３ｃに示す）若しくは二つのスピン装置（図４に示す）を有するバケツ本体１で行われるものである。例えば、図４に示す本発明のもう一つの実施例による折り畳み式フラットモップ用スピン洗浄バケツ１００ｂは、二つのスピン装置を有し、スピン装置２ａ（以下は第一スピン装置と称す）は、もう一つのスピン装置２ｂに対して、高さが比較的低く、低いほうのスピン装置２ａは、折り畳み式フラットモップＴを担持して水中の洗浄を行い、高いほうのスピン装置２ｂは、折り畳み式フラットモップＴを担持して脱水を行う仕組みとなる。
【００２０】
図１、図２、図４及び図５に示すように、スピン装置２は、一対の隔壁部材２３ａ、２３ｂを有する。一対の隔壁部材２３ａ、２３ｂは、互いに離間されるように前記スピン装置２の上表面に周設される。一対の担持凹部２２ａ、２２ｂは、スピン装置２に設置されながら、一対の隔壁部材２３ａ、２３ｂの間に設置される。一対の担持凹部２２ａ、２２ｂは、折り畳み式フラットモップＴのモップヘッドＴ３がスピンする場合、折り畳み式フラットモップＴのモップヘッドＴ３がスピン装置２を連動させることで水中の洗浄及び水面上脱水を行うように、折り畳み式フラットモップＴを担持する。
【００２１】
本発明の他の実施例において、バケツ本体１のスピン装置は一つだけであり、図５に示すように、スピン装置２は、納置座２４を有し、納置座２４が一対の挿設部２４１ａ、２４１ｂを有し、一対の前記挿設部２４１ａ、２４１ｂが一対の隔壁部材２３ａ、２３ｂに挿設されることで、納置座２４が一対の隔壁部材２３ａ、２３ｂの間に設置される。挿設部２４１ａ若しくは挿設部２４１ｂのいずれかが、彎曲部２４１ｃ、壁部２４１ｄ及びブロック部２４１ｆに囲まれる。また、納置座２４が握持部２４１ｅを有し、この握持部２４１ｅを用いてモップヘッドＴ３を握持する。納置座２４が一対の隔壁部材２３ａ、２３ｂに対して二つの停止位置の間に上下にシフトされる。この所定位置シフトの実施方法は以下の通りである。
【００２２】
図５、図６ａ、図６ｂ及び図６ｃに示すように、納置座２４において一つ又は二つの側面にシフト凹部２４２を有し、隔壁部材２３ａ、２３ｂの各内周面に定位凹部２３０を有する。ローラー２４３がシフト凹部２４２と定位凹部２３０の間に形成された通路の中に設置される。納置座２４が隔壁部材２３ａ、２３ｂに対して上下に移動される。定位凹部２３０が連続的に延ばされた複数の凹部からなり、順次に縦方向凹部２３１、ガイド凹部２３２、停留凹部２３３及び復帰ガイド凹部２３４を含む。復帰ガイド凹部２３４が縦方向凹部２３１へ復帰するように延ばされる。ローラー２４３がシフト凹部２４２と定位凹部２３０の中で上下にシフトされることによって、納置座２４が定位凹部２３０に対して縦方向にシフトされる。まず、図６ａに示すように、ローラー２４３が縦方向凹部２３１の任意の位置、若しくは、復帰ガイド凹部２３４から下と斜め下へ移動する経路にある任意の位置から下へシフトされる場合、納置座２４がバケツ本体１の底部へ移動される。図３ｂに示すように、折り畳み式フラットモップＴをバケツ本体１の外からリングフレーム部材４を通ってバケツ本体１の中に入れる場合、清掃部材Ｍがリングフレーム部材４に当接されて折曲される。図６ａに示すように、清掃部材Ｍの降下につれて納置座２４が押さえられながら、ローラー２４３が、縦方向凹部２３１の任意の位置から下へシフトされるか、復帰ガイド凹部２３４から下と斜め下へ移動する経路にある任意の位置から下へシフトされて縦方向凹部２３１の中で下へシフトされる。このシフトの動作は、モップヘッドＴ３の支持部材Ｆが納置座２４に支持されながら納置座２４と接合するまで続けられる。図６ａに示すように、この下へのシフトの動作によって納置座２４がバケツ本体１の底部に当たるまで運ばれるため、納置座２４が第一停止位置Ｐ１に停止する。ここで、使用者は、第一モップスティック部材Ｔ１１を下に押したのち上に挙げれば、第二モップスティック部材Ｔ１２と清掃部材Ｍが共に回転し、清掃部材Ｍの水中洗浄が行われる。
【００２３】
清掃部材Ｍの水中洗浄が完了したのち、次は清掃部材Ｍの脱水である。清掃部材Ｍの脱水を行うために、図６ｂに示すように、納置座２４が第一停止位置Ｐ１から縦方向凹部２３１の最高点まで上げられ、ローラー２４３がガイド凹部２３２を経由しながら停留凹部２３３まで至る。詳しく申すと、ローラー２４３がガイド凹部２３２の上の凹み形状によって押し込まれるため、ローラー２４３が右へ向かって停留凹部２３３までシフトさせられる。つまり、ガイド凹部２３２の凹みの構造により、ローラー２４３は、停留凹部２３３にシフトさせる方向に制限されることで、納置座２４を第二停止位置Ｐ２で停止させる。また、図６ｂに示すように、たとえ使用者が隔壁部材２３ａ、２３ｂに対して第一モップスティック部材Ｔ１１を下に押したのち上に挙げても、停留凹部２３３、シフト凹部２４２、ガイド凹部２３２及び復帰ガイド凹部２３４の構造にてローラー２４３が第二停止位置Ｐ２における停止状態が確保される。そこで、納置座２４が第二停止位置Ｐ２で停止される以上、使用者は清掃部材Ｍの脱水ができる。つまり、図９に示すように、使用者は第一モップスティック部材Ｔ１１を下に押したのち上に挙げ、第二モップスティック部材Ｔ１２を回転させ、清掃部材Ｍを回転させることで清掃部材Ｍの脱水を行う。
【００２４】
また、停止位置は二つであり、第一停止位置Ｐ１と第二停止位置Ｐ２を含む。第一停止位置Ｐ１について：図６ａに示すように、折り畳み式フラットモップＴが納置座２４を下に押さえ、納置座２４の降下によって、ローラー２４３が下へ縦方向凹部２３１を通して縦方向凹部２３１の底側へ降りながら納置座２４がスピンバケツ本体1の底部まで至ることで、納置座２４を第一停止位置Ｐ１で停止させる。
【００２５】
第二停止位置Ｐ２について：図６ｂに示すように、折り畳み式フラットモップＴが納置座２４を第一停止位置Ｐ１から上に持ち上げる。そして、納置座２４の上昇によって、ローラー２４３が、縦方向凹部２３１の底側から上に昇り、ガイド凹部２３２の上の凹み形状に押し込まれるまでガイド凹部２３２でシフトされた結果、ローラー２４３が右へ向かって停留凹部２３３まで辿る。そして、停留凹部２３３の凹みの構造により、ローラー２４３が停留凹部２３３に止められ、納置座２４が第二停止位置Ｐ２で停止される。
【００２６】
第二停止位置から前記第一停止位置へ帰還：図６ｃに示すように、これは一連の動作である。脱水済みの折り畳み式フラットモップＴを持ち上げながら納置座２４を離脱すると、折り畳み式フラットモップＴは、自らの旋回の遠心力によって折曲状態から展開状態になる。納置座２４が第二停止位置Ｐ２で停止する間、折り畳み式フラットモップＴと納置座２４を上に持ち上げることにつれて、ローラー２４３が持ち上げられるが、ローラー２４３が復帰ガイド凹部２３４を通ると下向きに変え、縦方向凹部２３１を通過するようになる。そして、納置座２４がバケツ本体１の底部に辿るまで、ローラー２４３が縦方向凹部２３１の底側へ降下する。これによって、納置座２４が第一停止位置Ｐ１へ戻される。
【００２７】
図７に示すように、本発明のもう一つの実施例による折り畳み式フラットモップ用スピン洗浄バケツ１００ｃでは、複数のスピン装置２ａ、２ｂの間が仕切部材３によって相互に分離されるものであって、高さの比較的低いスピン装置２ａの中で折り畳み式フラットモップＴの水中洗浄を行い、高さの比較的長いスピン装置２ｂの中で折り畳み式フラットモップＴの水面上脱水を行う。
【００２８】
上述した構造によって、本発明による折り畳み式フラットモップ用スピン洗浄バケツ１００、１００ａ、１００ｂ、１００ｃは、折り畳み式フラットモップＴを順次に異なる位置の間にシフトさせることができ、洗浄位置と脱水位置を含むため、洗浄、脱水という操作ができる。これによって、清掃部材の下にある布がもっと便利に効率よく洗浄される。それに、折り畳み式フラットモップ用スピン洗浄バケツ１００、１００ａ、１００ｂ、１００ｃは、上に折り曲げる折り畳み式フラットモップＴのために設計されるものであることから、バケツの幅と長さの両方とも確実に削減される故、スピン洗浄バケツは、例えば、運搬コストの低減及び省スペースなどのメリットを果たしている。
【００２９】
なお、本発明は、上記実施形態に限定されるものではない。上記実施形態は、例示であり、本発明の特許請求の範囲に記載された技術的思想と実質的に同一の構成を有し、同様の作用効果を奏するものは、いかなるものであっても本発明の技術的範囲に包含される。
【符号の説明】
【００３０】
１…バケツ本体、  ２、２ａ、２ｂ…スピン装置、  ３…仕切部材、  
４…リングフレーム部材、  １１…底部、  ２１…スピン部材、  
２２ａ、２２ｂ…担持凹部、  ２３ａ、２３ｂ…隔壁部材、  ２４…納置座、  
４１…通し穴、  １００、１００ａ、１００ｂ、１００ｃ…折り畳み式フラットモップ用スピン洗浄バケツ、  ２３０…定位凹部、  ２３１…縦方向凹部、  ２３２…ガイド凹部、  
２３３…停留凹部、  ２３４…復帰ガイド凹部、  ２４１ａ、２４１ｂ…挿設部、  
２４２…シフト凹部、  ２４３…ローラー、  Ｐ１…第一停止位置、  
Ｐ２…第二停止位置、  Ｔ…折り畳み式フラットモップ。
【図１】
2020006170.tif 000003
【図２】
2020006170.tif 000004
【図３ａ】
2020006170.tif 000005
【図３ｂ】
2020006170.tif 000006
【図３ｃ】
2020006170.tif 000007
【図４】
2020006170.tif 000008
【図５】
2020006170.tif 000009
【図６ａ】
2020006170.tif 000010
【図６ｂ】
2020006170.tif 000011
【図６ｃ】
2020006170.tif 000012
【図７】
2020006170.tif 000013
【図８】
2020006170.tif 000014
【図９】
2020006170.tif 000015
【図１０】
2020006170.tif 000016